(57)【要約】【課題】簡易な構成でチップクロックの同期と符号位相の同期を実現する。【解決手段】受信側チップクロックを生成する受信側チップクロック生成回路３４と、前記受信側チップクロックに基づいて受信側拡散信号を生成する受信側拡散信号生成回路４２と、送信装置から受信される変調信号に含まれる送信側拡散信号と、前記受信側拡散信号と、の位相ずれに対応するエラー信号Ｅを生成するとともに、該エラー信号Ｅに基づいて前記受信側チップクロック生成回路３４を制御する受信側チップクロック制御回路３８と、を含む。【選択図】        図２
2004228690.tif 000002
【特許請求の範囲】
【請求項１】
送信装置と受信装置とを含み、
前記送信装置は、
送信側チップクロックを生成する送信側チップクロック生成回路と、
前記送信側チップクロックに基づいて所定拡散符号に対応して振幅が変化する送信側拡散信号を生成する送信側拡散信号生成回路と、
前記送信側拡散信号を振幅成分として含む変調信号を生成する変調回路と、を含み、
前記受信装置は、
受信側チップクロックを生成する受信側チップクロック生成回路と、
前記受信側チップクロックに基づいて前記所定拡散符号に対応して振幅が変化する受信側拡散信号を生成する受信側拡散信号生成回路と、
前記送信装置から受信される前記変調信号に振幅成分として含まれる前記送信側拡散信号と、前記受信側拡散信号と、の位相ずれに対応するエラー信号を生成するとともに、該エラー信号に基づいて前記受信側チップクロック生成回路を制御する受信側チップクロック制御回路と、を含む、
ことを特徴とする通信システム。
【請求項２】
請求項１に記載の通信システムにおいて、
前記受信側チップクロック制御回路は、
前記受信側拡散信号の所定部分を特定するウィンドウ信号を生成するウィンドウ信号生成回路と、
前記ウィンドウ信号と前記送信側拡散信号とに基づいて、前記受信側拡散信号の所定部分と前記送信側拡散信号の所定部分との位相ずれを表す信号を前記エラー信号として生成するエラー信号生成回路と、
を含むことを特徴とする通信システム。
【請求項３】
請求項２に記載の通信システムにおいて、
前記ウィンドウ信号生成回路は、前記受信側チップクロックの逆相信号に基づいて前記受信側拡散信号より１／２チップだけ位相が進んだ進み位相受信側拡散信号及び１／２チップだけ位相が遅れた遅れ位相受信側拡散信号を生成するとともに、それら進み位相受信側拡散信号及び遅れ位相受信側拡散信号をそれぞれフリップフロップ回路に入力し、さらに、それらフリップフロップ回路の出力信号の排他的論理和を前記ウィンドウ信号とする、ことを特徴とする通信システム。
【請求項４】
請求項１乃至３のいずれかに記載の通信システムにおいて、
前記変調回路は、前記送信側拡散信号を所定の情報多重用位相だけ遅延させて得られる拡散信号にて情報信号を拡散し、該拡散済み情報信号を前記送信側拡散信号とともに多重化して、前記変調信号を生成することを特徴とする通信システム。
【請求項５】
請求項４に記載の通信システムにおいて、
前記変調回路は、前記送信側拡散信号と、該送信側拡散信号を所定の副拡散信号多重用位相だけ遅延させて得られる送信側副拡散信号と、前記拡散済み情報信号と、を多重化して前記変調信号を生成し、
前記受信装置は、前記受信側拡散信号にて前記変調信号を逆拡散するとともに、前記受信側拡散信号を前記所定の副拡散信号多重用位相だけ遅延させて得られる拡散信号にて前記変調信号を逆拡散する復調回路をさらに含み、
前記受信側チップクロック制御回路は、前記復調回路における前記逆拡散の結果に基づいて前記受信側チップクロック生成回路の制御を制限する、
ことを特徴とする通信システム。
【請求項６】
請求項５に記載の通信システムにおいて、
前記所定の副拡散信号多重用位相と前記所定の情報多重用位相は、前記所定の副拡散信号多重用位相と前記所定の情報多重用位相との位相差と前記所定の副拡散信号多重用位相とが不一致となるよう設定されていることを特徴とする通信システム。
【請求項７】
請求項５又は６に記載の通信システムにおいて、
前記変調回路は、複数の情報信号を、各情報信号に対応する複数の所定の情報多重用位相だけ遅延させて得られる拡散信号にてそれぞれ拡散し、それら拡散済み情報信号を前記送信側拡散信号とともに多重化して、前記変調信号を生成し、
前記所定の副拡散信号多重用位相と前記所定の情報多重用位相は、前記所定の情報多重用位相の間隔と前記所定の副拡散信号多重用位相とが不一致となるよう設定されていることを特徴とする通信システム。
【請求項８】
請求項１乃至７のいずれかに記載の通信システムにおいて、
前記受信装置は、
前記受信側拡散信号に基づいて前記送信側拡散信号を含む前記変調信号を逆拡散してなる信号に基づいて、前記送信装置から受信される前記変調信号の振幅を制御する振幅制御回路をさらに含む、
ことを特徴とする通信システム。
【請求項９】
請求項８に記載の通信システムにおいて、
前記振幅制御回路は、前記受信側拡散信号に基づいて前記送信側拡散信号を含む前記変調信号を逆拡散してなる信号を平滑化して得られる信号に基づいて、前記送信装置から受信される前記変調信号の振幅を制御する、
ことを特徴とする通信システム。
【請求項１０】
受信側チップクロックを生成する受信側チップクロック生成回路と、
前記受信側チップクロックに基づいて所定拡散符号に対応して振幅が変化する受信側拡散信号を生成する受信側拡散信号生成回路と、
送信装置から受信される変調信号に振幅成分として含まれ、前記所定拡散符号に対応して振幅が変化する送信側拡散信号と、前記受信側拡散信号と、の位相ずれに対応するエラー信号を生成するとともに、該エラー信号に基づいて前記受信側チップクロック生成回路を制御する受信側チップクロック制御回路と、
を含むことを特徴とする受信装置。
【発明の詳細な説明】
【０００１】
【発明の属する技術分野】
本発明は通信システムに関し、特に拡散符号を用いる通信における同期制御に関する。
【０００２】
【従来の技術】
従来、ＣＤＭＡ（符号分割多重）等、拡散符号を用いる通信システムでは、拡散符号を生成するためのチップクロックの同期と符号位相の同期とを別々に行っていた。すなわち、チップクロックの同期については、情報変調を施さないパイロット信号を送受信して、受信側で絶体位相同期復調によりチップクロックを送信側に同期させていた。また、符号位相の同期については、マッチドフィルタやスライディング相関器等を用いて同期させていた。
【０００３】
【発明が解決しようとする課題】
マッチドフィルタを用いた同期では受信側の回路規模が増大するという問題がある。また、スライディング相関器を用いた同期では、制御ソフトウェアの負担が大であるという問題がある。
【０００４】
本発明は上記課題に鑑みてなされたものであって、簡易な構成でチップクロックの同期と符号位相の同期を実現することができる通信システム及び受信装置を提供することにある。
【０００５】
【課題を解決するための手段】
上記課題を解決するために、本発明に係る通信システムは、送信側チップクロックを生成する送信側チップクロック生成回路と、前記送信側チップクロックに基づいて所定拡散符号に対応して振幅が変化する送信側拡散信号を生成する送信側拡散信号生成回路と、前記送信側拡散信号を振幅成分として含む変調信号を生成する変調回路と、を含む。
【０００６】
また、前記受信装置は、受信側チップクロックを生成する受信側チップクロック生成回路と、前記受信側チップクロックに基づいて前記所定拡散符号に対応して振幅が変化する受信側拡散信号を生成する受信側拡散信号生成回路と、前記送信装置から受信される前記変調信号に振幅成分として含まれる前記送信側拡散信号と、前記受信側拡散信号と、の位相ずれに対応するエラー信号を生成するとともに、該エラー信号に基づいて前記受信側チップクロック生成回路を制御する受信側チップクロック制御回路と、を含む。
【０００７】
本発明によれば、変調信号に含まれる送信側拡散信号と、受信側拡散信号と、の位相ずれに対応するエラー信号を生成し、該エラー信号に基づいて受信側チップクロックを制御し、これにより簡易な構成でチップクロックの同期と符号位相の同期を実現することができる。
【０００８】
本発明の一態様では、前記受信側チップクロック制御回路は、前記受信側拡散信号の所定部分を特定するウィンドウ信号を生成するウィンドウ信号生成回路と、前記ウィンドウ信号と前記送信側拡散信号とに基づいて、前記受信側拡散信号の所定部分と前記送信側拡散信号の所定部分との位相ずれを表す信号を前記エラー信号として生成するエラー信号生成回路と、を含む。前記所定部分は、各拡散信号の例えば立ち上がり部分や立ち下がり部分等である。
【０００９】
この態様では、前記ウィンドウ信号生成回路は、前記受信側チップクロックの逆相信号に基づいて前記受信側拡散信号より１／２チップだけ位相が進んだ進み位相受信側拡散信号及び１／２チップだけ位相が遅れた遅れ位相受信側拡散信号を生成するとともに、それら進み位相受信側拡散信号及び遅れ位相受信側拡散信号をそれぞれフリップフロップ回路に入力し、さらに、それらフリップフロップ回路の出力信号の排他的論理和を生成し、それを前記ウィンドウ信号としてもよい。
【００１０】
また、本発明の一態様では、前記変調回路は、前記送信側拡散信号を所定の情報多重用位相だけ遅延させて得られる拡散信号にて情報信号を拡散し、該拡散済み情報信号を前記送信側拡散信号とともに多重化して、前記変調信号を生成する。複数の所定の情報多重用位相を設定しておき、それら位相だけ前記送信側拡散信号を遅延させて得られる各拡散信号にて各情報信号を拡散し、多重化してもよい。
【００１１】
この態様では、前記変調回路は、前記送信側拡散信号と、該送信側拡散信号を所定の副拡散信号多重用位相だけ遅延させて得られる送信側副拡散信号と、前記拡散済み情報信号と、を多重化して前記変調信号を生成し、前記受信装置は、前記受信側拡散信号にて前記変調信号を逆拡散するとともに、前記受信側拡散信号を前記所定の副拡散信号多重用位相だけ遅延させて得られる拡散信号にて前記変調信号を逆拡散し、前記受信側チップクロック制御回路は、前記復調回路における前記逆拡散の結果に基づいて、前記受信側チップクロック生成回路の制御を制限するようにしてもよい。
【００１２】
この場合、前記所定の副拡散信号多重用位相と前記所定の情報多重用位相は、前記所定の副拡散信号多重用位相と前記所定の情報多重用位相との位相差と前記所定の副拡散信号多重用位相とが不一致となるよう設定されてもよい。また、前記変調回路は、複数の情報信号を、各情報信号に対応する複数の所定の情報多重用位相だけ遅延させて得られる拡散信号にてそれぞれ拡散し、それら拡散済み情報信号を前記送信側拡散信号とともに多重化して、前記変調信号を生成し、前記所定の副拡散信号多重用位相と前記所定の情報多重用位相は、前記所定の情報多重用位相の間隔と前記所定の副拡散信号多重用位相とが不一致となるよう設定されてもよい。こうすれば、情報信号が直流であっても、該情報信号に係る拡散信号と受信側拡散信号とを誤って同期させてしまう事態を防ぐことができる。
【００１３】
また、本発明の一態様では、前記受信装置は、前記受信側拡散信号に基づいて前記送信側拡散信号を含む前記変調信号を逆拡散してなる信号に基づいて、前記送信装置から受信される前記変調信号の振幅を制御する振幅制御回路をさらに含む。こうすれば、受信される前記変調信号の振幅を好適なものとすることができる。
【００１４】
この態様では、前記振幅制御回路は、前記受信側拡散信号に基づいて前記送信側拡散信号を含む前記変調信号を逆拡散してなる信号を平滑化して得られる信号に基づいて、前記送信装置から受信される前記変調信号の振幅を制御してもよい。平滑化は、例えばローパスフィルタを用いて行ってもよい。
【００１５】
【発明の実施の形態】
以下、本発明の好適な実施形態について図面に基づき詳細に説明する。
【００１６】
以下に説明する通信システムは、ＣＤＭＡ（符号分割多重）で多チャンネルを同時に伝送する際に必要となる送受信装置間のチップクロック及び符号位相の同期を、比較的簡易な構成で実現したものである。
【００１７】
本通信システムでは、送信装置において、同一ＰＮ符号を、位相を異ならせて（遅延させて）用いて各情報信号（情報チャンネル）を拡散し、こうして得られる拡散済み情報信号を多重化して変調信号を生成している。一方、受信装置においては、同一ＰＮ符号を、位相を異ならせて（遅延させて）用いて変調信号を逆拡散し、各情報チャンネルを復調する。すなわち、この通信システムは、同一ＰＮ符号で複数の情報チャンネルを拡散するものであり、各情報チャンネルには拡散符号の位相（遅延量）が割り当てられている。
【００１８】
また、この通信システムでは、送信装置において、前記ＰＮ符号の１以上の符号位相出力を、情報信号で変調をしないパイロット信号としている。また、受信装置では、受信装置のチップクロックによって生成される送信側と同一のＰＮ符号を用い、その１以上の符号位相出力と、受信される前記パイロット信号と、を位相比較して、その比較結果を表す信号（エラー信号）を、チップクロックを形成する電圧制御発振器（ＶＣＯ）に帰還している。これにより、簡易な構成でチップクロック及び符号位相の同期を実現することに成功している。
【００１９】
（実施形態１）
図１及び図２は、本発明の実施形態１に係る通信システムの構成を示す図である。図１は送信装置の構成を示しており、図２は受信装置の構成を示している。
【００２０】
図１に示すように、送信装置１０は、発振器１２と、拡散符号発生器１４と、変調回路２６と、を含んで構成されている。
【００２１】
発振器（チップクロック生成回路）１２は、送信側チップクロックを生成する回路である。また、拡散符号発生器１４は、送信側チップクロックに基づいて送信側拡散信号を生成する回路である。この拡散符号発生器１４には、発振器１２から出力される送信側チップクロックが入力されており、送信側拡散信号を出力する。ここでは所定ＰＮ符号に係る拡散信号Ｔ０を生成する。
【００２２】
変調回路２６は、送信側拡散信号Ｔ０を振幅成分として含む変調信号Ｓを生成する回路である。具体的には、変調回路２６には、情報信号Ｉ１〜Ｉ３及び拡散符号発生器１４から出力される拡散信号Ｔ０が入力されており、変調信号Ｓを出力する。さらに具体的には、変調回路２６は、シフトレジスタ１６、乗算器２０−１〜２０−３、減衰器１８及び加算器２２を含んで構成されている。シフトレジスタ１６には、拡散符号発生器１４から出力される拡散信号Ｔ０が入力されており、該拡散信号Ｔ０を位相θ１だけ遅延させてなる拡散信号Ｔ１（タップ信号）、位相θ２だけ遅延させてなる拡散信号Ｔ２（タップ信号）及び位相θ３だけ遅延させてなる拡散信号Ｔ３（タップ信号）を出力する。拡散符号発生器１４から出力される拡散信号Ｔ０は、減衰器１８により乗算器２０−１〜２０−３に対応する減衰量だけ減衰され、加算器２２にも入力される。乗算器２０−ｎには、シフトレジスタ１６から出力される拡散信号Ｔｎと、情報信号Ｉｎと、が入力されている。そして、乗算器２０−ｎでは、両信号を乗算して拡散済み情報信号Ｉｎを出力する（ｎ＝１，２，３）。拡散済み情報信号Ｉ１〜Ｉ３は、減衰器１８の出力、すなわち減衰済みの拡散信号Ｔ３とともに加算器２２に入力されており、ここで加算（多重化）される。加算器２２の出力は、変調信号Ｓとしてワイヤやエア等の通信媒体２４に送出される。なお、以上のようにして加算器２２から出力される変調信号Ｓは、その振幅変化（電圧変化）に拡散信号Ｔ０の基礎であるＰＮ符号に対応した成分を含むこととなる。
【００２３】
以上のようにして、位相０をパイロットチャンネルに、位相θｎを情報チャンネルｎに割り当て（ｎ＝１，２，３）、同一ＰＮ符号にて複数の情報信号を、位相を異ならせて拡散変調し、パイロット信号とともに多重化し、変調信号Ｓを通信媒体２４に送出している。
【００２４】
一方、図２に示すように受信装置３０は、チップクロック生成回路３４と、拡散符号発生器４２と、復調回路４０と、チップクロック制御回路３８と、振幅制御回路６５と、を含んで構成されている。
【００２５】
チップクロック生成回路３４は、受信側チップクロックを生成する回路であり、電圧制御発振器３２とフリップフロップ３６とを含んで構成されている。電圧制御発振器３２は発振器１２の２倍の周波数で発振する発振器であり、チップクロック制御回路３８から出力されるエラー信号Ｅに基づいて出力されるクロック信号の周波数及び／又は位相を制御することができるよう構成されている。
【００２６】
フリップフロップ３６は、電圧制御発振器３２から出力されるクロック信号を１／２分周し、発振器１２から出力されるチップクロックと同程度の周波数のクロック信号を受信側チップクロックとして生成し、拡散符号発生器４２に供給している。また、フリップフロップ３６は、該受信側チップクロックとは逆相のチップクロック（逆相チップクロック）をさらに生成し、それをチップクロック制御回路３８に供給している。
【００２７】
拡散符号発生器４２は、以上のようにしてチップクロック生成回路３４から出力される受信側チップクロックに基づいて受信側拡散信号Ｔ０’を生成する回路である。受信側拡散信号Ｔ０’は送信側と同一のＰＮ符号に係るものである。すなわち、受信側拡散信号Ｔ０‘は、その振幅変化（電圧変化）に同ＰＮ符号に対応する成分を含んでいる。こうして生成される受信側拡散信号Ｔ０’は復調回路４０に入力される。
【００２８】
復調回路４０は、受信側拡散信号Ｔ０’を位相θｎだけ遅延させて得られる拡散信号Ｔｎ’にて変調信号Ｓを逆拡散し、情報信号Ｉｎを復調する回路である（ｎ＝１，２，３）。具体的には、復調回路は、シフトレジスタ５６、ローパスフィルタ６０−１〜６０−３及び乗算器５８−１〜５８−３を含んで構成されている。シフトレジスタ５６には、拡散符号発生器４２から出力される拡散信号Ｔ０’が入力されており、該拡散信号Ｔ０’を位相θ１だけ遅延させてなる拡散信号Ｔ１’（タップ信号）、位相θ２だけ遅延させてなる拡散信号Ｔ２’（タップ信号）及び位相θ３だけ遅延させてなる拡散信号Ｔ３’（タップ信号）を出力する。乗算器５８−ｎには、シフトレジスタ５６から出力される拡散信号Ｔｎ’と、送信装置１０から受信した変調信号Ｓと、が入力されている。そして、乗算器５８−ｎでは両信号を乗算し、乗算結果をローパスフィルタ６０−ｎに入力している。ローパスフィルタ６０−ｎでは乗算結果の低周波数成分を抽出し、情報信号Ｉｎを得ている（ｎ＝１，２，３）。
【００２９】
チップクロック制御回路３８は、送信装置１０から受信した変調信号Ｓに多重化されている拡散信号Ｔ０と、受信側拡散信号Ｔ０’と、の位相ずれに対応するエラー信号Ｅを生成するとともに、該エラー信号Ｅに基づいてチップクロック生成回路３４を制御する回路である。ここでは、エラー信号Ｅは、拡散信号Ｔ０と受信側拡散信号Ｔ０‘の立ち上がりタイミングの差に対応して電圧が変化する信号としている。
【００３０】
具体的には、チップクロック制御回路３８は、乗算器４４、ローパスフィルタ４５，拡散符号発生器５２、リセット回路５４、フリップフロップ４８，５０、排他的論理和回路４６を含んで構成されている。拡散符号発生器５２には、チップクロック生成回路３４から出力される逆相チップクロックが入力されており、受信側拡散信号Ｔ０’に比して１／２チップだけ位相が進んだ進み位相拡散信号Ｔａと、１／２チップだけ位相が遅れた遅れ位相拡散信号Ｔｂと、を出力している。拡散符号発生器５２には、リセット回路５４からリセット信号が供給されており、拡散符号発生器４２において生成される符号信号の符号周期毎に拡散符号発生器５２がリセットされるようになっている。このため、拡散符号発生器４２，５２の符号位相差は１チップクロック未満とされている。リセット回路５４の一例は、図３に示されている。
【００３１】
進み位相拡散信号Ｔａはフリップフロップ４８に入力され、該フリップフロップ５０は該進み位相拡散信号Ｔａにおける各立ち上がりタイミングにて立ち上がり及び立ち下がりを交互に繰り返す信号を生成する。また、遅れ位相拡散信号Ｔｂはフリップフロップ５０に入力され、該フロップフロップ４８は該遅れ位相拡散信号Ｔｂにおける各立ち上がりタイミングにて立ち上がり及び立ち下がりを交互に繰り返す信号を生成する。フリップフロップ４８からフリップフロップ５０には初期化信号が供給されており、両フリップフロップの初期状態を同じとするようにしている（イニシャル時にて共にＱをＨ、反転ＱをＬに設定）。
【００３２】
両信号は排他的論理和回路４６に入力され、該排他的論理和回路４６の出力信号がウィンドウ信号Ｗとして乗算器４４に入力される。このウィンドウ信号Ｗは、受信側拡散信号Ｔ０’の立ち上がり部分を特定する信号であり、具体的には受信側拡散信号Ｔ０’の立ち上がり１／２チップ前に立ち上がり、次の立ち上がり１／２チップ前に立ち下がる信号である。乗算器４４には変調信号Ｓも入力されており、変調信号Ｓとウィンドウ信号Ｗとの乗算結果Ｔｃが出力される。そして、乗算結果Ｔｃからはローパスフィルタ４５によって低周波数成分が抽出され、エラー信号としてチップクロック生成回路３４に含まれる電圧制御発振器３２に入力され、出力制御に用いられている。
【００３３】
さらに、受信装置３０は振幅制御回路６５を含んでいる。振幅制御回路６５は、乗算器６３とローパスフィルタ６１と自動利得制御回路（ＡＧＣ）５９とを含んで構成されている。乗算器６３は、送信装置１０から受信される変調信号Ｓを拡散符号発生器４２から出力される受信側拡散信号Ｔ０’で逆拡散する回路である。この乗算器６３の出力信号はローパスフィルタ６１によって平滑化され、それにより得られる制御信号は自動利得制御回路５９に供給されている。そして、自動利得制御回路５９では、この制御信号に基づいて変調信号Ｓの振幅を制御している。例えば、該制御信号の電圧が所定の基準電圧よりも高い場合には変調信号Ｓを減衰させ、低い場合には変調信号Ｓを増幅させる。送信側拡散信号Ｔ０と受信側拡散信号Ｔ０’とが同期している場合には、ローパスフィルタ６１からは直流電圧が出力されることになる。そして、この直流電圧は変調信号Ｓの振幅の大きさを表す。このため、振幅制御回路６５によれば、変調信号Ｓの振幅を適切に制御することができる。
【００３４】
図４は、受信側拡散信号Ｔ０’、進み位相拡散信号Ｔａ、遅れ位相拡散信号Ｔｂ、フリップフロップ４８の出力信号Ｔａ／２、フリップフロップ５０の出力信号Ｔｂ／２、ウィンドウ信号Ｗ及び乗算結果Ｔｃの波形を示す図であり、縦軸が電圧振幅を表し横軸が時間を表している。同図では、送受信間で共に符号長が７である拡散符号が用いられる場合を例にして示した。ウィンドウ信号Ｗは、７チップクロックごとに繰り返される一定パターンを有している。この信号と復調信号Ｓ中の送信側拡散信号Ｔ０とを位相比較し、比較結果を電圧制御発振器３２に帰還するＰＬＬを構成すると、送信側拡散信号Ｔ０が同図に示されるように受信側拡散信号Ｔ０’と同期しているとき、乗算結果Ｔｃの直流成分が０となる。そして、電圧制御発振器３２は保持状態となる。そして、送信側拡散信号Ｔ０と受信側拡散信号Ｔ０’とがずれると、それに応じて正負の有限値を有するエラー信号Ｅ（エラー電圧）が発生する。
【００３５】
なお、ここでは電圧制御発振器３２と発振器１２との周波数の違いに起因する受信側拡散信号Ｔ０’と送信側拡散信号Ｔ０の位相差は、上記ＰＬＬのループゲインが十分に大きく、それ故に問題とならないと仮定している。
【００３６】
以上説明した通信システムによれば、比較的簡単な構成のＰＬＬにより、チップクロックの位相及び符号位相を同期させることができる。
【００３７】
（実施形態２）
図５及び図６は、本発明の実施形態２に係る通信システムの構成を示す図である。図５は、送信装置の構成を示しており、図６は、受信装置の構成を示している。図５に示すように、送信装置７０は、発振器７８、拡散符号発生器７６及び変調器７５を含んで構成されている。変調回路７５は、シフトレジスタ７４、乗算器群８０及び加算器７２を含んで構成されている。この送信装置７０が実施形態１に係る送信装置１０と異なるのは、加算器７２において２つの拡散信号ＴＰ１及びＴＰ２が拡散済み情報信号群に多重化されている点である。拡散信号ＴＰ１及びＴＰ２は、拡散符号発生器７６において生成される送信側拡散信号をそのもの又は所定量遅延させて得られるものであり（ここでは拡散信号ＴＰ１よりも拡散信号ＴＰ２の方が位相的に遅れているものとする）、拡散信号ＴＰ１及びＴＰ２の位相差は、各情報信号に割り当てられた位相間のいずれの差とも一致せず、しかも拡散信号ＴＰ２と各情報信号に割り当てられた位相、特に最も拡散信号ＴＰ２からの遅れが少ないものとの差とも一致しないよう、拡散信号ＴＰ１、拡散信号ＴＰ２及び情報チャンネルに対する位相割り当てが決定されている。ここでは、拡散信号ＴＰ１を位相θａだけ遅延させた信号を拡散信号ＴＰ２とし、θａ＋ｎ×θｂだけ遅延させた信号を、第ｎ情報チャンネルを拡散するための拡散信号とする（θａ≠θｂ）。
【００３８】
一方、図６に示すように、受信装置９０は、チップクロック生成回路１０９、チップクロック制御回路１１１、拡散符号発生器１０２及び復調回路９９を含んで構成されている。チップクロック生成回路１０９は、実施形態１の場合と同様、電圧制御発振器１１０及びフリップフロップ１０８を含んで構成されている。また、チップクロック制御回路１１１は、スイッチ１１２、ローパスフィルタ１１４、乗算器１１６、排他的論理和回路１１８，フリップフロップ１２０，１２２、拡散符号発生器１０６、リセット回路１０４及びアンド（論理積）回路１００を含んで構成されている。さらに、復調回路９９は、シフトレジスタ７２、乗算器群９７、乗算器９４−１及び９４−２、ローパスフィルタ９６−１及び９６−２、比較器９８−１及び９８−２を含んで構成されている。この受信装置９０が実施形態１に係る受信装置３０と異なるのは、次の点である。すなわち、受信装置９０では、復調回路９９においてシフトレジスタ７２から拡散信号ＴＰ１’及び拡散信号ＴＰ２’を出力し、これらと変調信号Ｓとを乗算器９４−１及び９４−２によって乗算し、逆拡散信号を得ている。シフトレジスタ７２は、送信側と同様、拡散信号ＴＰ１’を位相θａだけ遅延させた信号を拡散信号ＴＰ２’として出力し、θａ＋ｎ×θｂだけ遅延させた信号を、第ｎ情報チャンネルを逆拡散するための拡散信号として出力するものである（θａ≠θｂ）。
【００３９】
乗算器９４−１及び９４−２によって得られる逆拡散信号からは、ローパスフィルタ９６−１及び９６−２によって低周波数成分が取り出され、それらがチップクロック制御回路１１１に供給されている。チップクロック制御回路１１１では、これら低周波数成分の論理積をアンド回路１００によって生成し、その出力によりスイッチ１１２を制御するようにしている。スイッチ１１２は、エラー信号Ｅをチップクロック生成回路１０９に入力させたり、入力させなかったりするための回路であり、具体的にはアンド回路１００の出力があればスイッチ１１２を接続状態としてエラー信号Ｅをチップクロック生成回路１０９に入力し、なければ開放状態としてエラー信号Ｅをチップクロック生成回路１０９に入力しない。
【００４０】
パイロットチャンネルは、送信側ＰＮ符号の１つの位相出力そのものなので、情報チャンネルが直流電圧である場合、その出力も他の位相のＰＮ符号そのものとなり、ＰＬＬによる同期がパイロットチャンネルだけでなく、情報チャンネルにもロックする現象が発生する。実施形態２に係る通信システムによれば、このような情報信号（直流電圧）の伝送も実現することができる。
【００４１】
なお、本実施形態においても、受信装置９０において振幅制御回路６５と同様の構成を設けてよい。
【００４２】
【発明の効果】
以上説明したように、本発明によれば、簡易な構成でチップクロックの同期と符号位相の同期を実現することができる。
【図面の簡単な説明】
【図１】本発明の実施形態１に係る送信装置の構成を示す図である。
【図２】本発明の実施形態１に係る受信装置の構成を示す図である。
【図３】リセット回路の一例を示す図である。
【図４】本発明の実施形態１に係る通信システムにおける各部のタイミングチャート図である。
【図５】本発明の実施形態２に係る送信装置の構成を示す図である。
【図６】本発明の実施形態２に係る受信装置の構成を示す図である。
【符号の説明】
１０，７０  送信装置、１２，７８  発振器、１４，４２，５２，７６，１０２  拡散符号発生器、２４  伝送媒体、２６，７５  変調回路、３０，９０  受信装置、３４，１０９  チップクロック生成回路、３８，１１１  チップクロック制御回路、４０，９９  復調回路、６５  振幅制御回路。
【図１】
2004228690.tif 000003
【図２】
2004228690.tif 000004
【図３】
2004228690.tif 000005
【図４】
2004228690.tif 000006
【図５】
2004228690.tif 000007
【図６】
2004228690.tif 000008